(57)【要約】【課題】バスバーの温度上昇を抑制してケースの溶損を防止する。【解決手段】共通入力部１２に複数の出力端子部１６Ａ、１６Ｂがそれぞれ溶断部１５Ａ、１５Ｂを介して並列に連結されたヒュージブルリンク一体型のバスバー１１を、第１ケース３１と第２ケース３２を結合することによって構成されるケース内に収容しており、バスバー１１を溶断部１５Ａ、１５Ｂを除いた箇所において第１ケース３１および第２ケース３２で挟持し、少なくともバスバー１１の出力端子部１６Ａ、１６Ｂと対向する第１ケース３１および第２ケース３２の内面に凹部４３、５５を設け、該凹部４３の空気層Ｓ１により出力部１６Ａ、１６Ｂの温度上昇を抑制している。【選択図】図５
2010178607.tif 000002
【特許請求の範囲】
【請求項１】
共通入力部に複数の出力部がそれぞれ溶断部を介して並列に連結されたヒュージブルリンク一体型のバスバーを、第１ケースと第２ケースを結合することによって構成されるケース内に収容している電気部品であり、
前記バスバーを前記溶断部を除いた箇所において前記第１ケースおよび第２ケースで挟持し、
少なくとも前記バスバーの出力部と対向する前記第１ケースおよび第２ケースの内面に凹部を設け、該凹部の空気層により前記出力部の温度上昇を抑制していることを特徴とする電気部品。
【請求項２】
前記第１ケースまたは第２ケースの少なくとも一方の前記凹部の底面から前記各出力部を位置決めする位置決め部を少なくとも２箇所以上突設している請求項１に記載の電気部品。
【請求項３】
前記バスバーの前記共通入力部と対向する前記第１ケースおよび第２ケースの内面にも凹部を設け、前記共通入力部の温度上昇も抑制している請求項１または請求項２に記載の電気部品。
【発明の詳細な説明】
【技術分野】
【０００１】
本発明は電気部品に関し、詳しくは、電気接続箱の内部に搭載するヒュージブルリンク一体型のバスバーをケース内に収容した電気部品に関し、該バスバーのヒュージブルリンクの温度上昇を抑制するものである。
【背景技術】
【０００２】
近年、ヒュージブルリンク一体型のバスバーが車両用電気接続箱の内部に搭載されている。このバスバーは、入力部と複数の溶断部および出力部とを導電性金属板から一体に形成しているものであり、専用ハウジングに収容されてヒュージブルリンクユニットを形成し、電気接続箱のケース内部に取り付けられている。
【０００３】
図６に示すように、この種のヒュージブルリンクユニット１は図６に示すように、互いにロック結合する第１ケース３と第２ケース４の内部にヒュージブルリンク一体型バスバー２を収容している。該バスバー２は、入力部２ｂと、複数の細幅とした溶断部２ｃと、複数の出力部２ｄとを共通入力部２ａを介して一体的に形成している。
本出願人は特開２００７−２８８９３４号（特許文献１）で図６に示すヒュージブルリンクユニットと同様のヒュージブルリンクユニットを提供している。
【０００４】
前記第１ケース３はバスバー２の裏面側を覆い、第２ケース４はバスバー２の表面側を覆い、第２ケース４の周壁からはコ字枠状のロック枠部５を第１ケース３側に向けて突設し、第１ケース３の周壁外面には、前記ロック枠部５が収まる挿入凹部６を設け、該挿入凹部６の底面に前記ロック枠部５に係止されるロック爪７を突設している。
前記バスバー２は、第２ケース４の前記ロック枠部５に第１ケース３の前記ロック爪７を係止して第１ケース３と第２ケース４をロック結合した状態において、該第１ケース３と第２ケース４とで表裏両面から挟持される。
【０００５】
しかしながら、前記構成の従来のヒュージブルリンクユニット１は、図７に示すように、第１ケース３と第２ケース４のロック結合状態において、バスバー２の出力部２ｄが第１ケース３の内面と全面的に接触している。そのため、出力部２ｄから発する熱の放熱性が低くバスバー２が温度上昇しやすいうえ、バスバー２の溶断時および高温時に第１ケース３および第２ケース４が溶損する恐れがある。
【先行技術文献】
【特許文献】
【０００６】
【特許文献１】特開２００７−２８８９３４号公報
【発明の概要】
【発明が解決しようとする課題】
【０００７】
本発明は前記問題に鑑みてなされたもので、互いにロック結合した第１ケースと第２ケースの内部にヒュージブルリンク一体型バスバーを収容した電気部品において、バスバーの温度上昇を抑制することを課題としている。
【課題を解決するための手段】
【０００８】
前記課題を解決するために、本発明は、共通入力部に複数の出力部がそれぞれ溶断部を介して並列に連結されたヒュージブルリンク一体型のバスバーを、第１ケースと第２ケースを結合することによって構成されるケース内に収容している電気部品であり、
前記バスバーを前記溶断部を除いた箇所において前記第１ケースおよび第２ケースで挟持し、
少なくとも前記バスバーの出力部と対向する前記第１ケースおよび第２ケースの内面に凹部を設け、該凹部の空気層により前記出力部の温度上昇を抑制していることを特徴とする電気部品を提供している。
【０００９】
このように、バスバーの前記出力部と対向する第１、第２ケースの内面に前記凹部を設けることにより、バスバーの前記出力部と第１、第２ケースの内面との接地面を少なくでき、前記出力部から発する熱の放熱性を高めることができると共に、前記凹部の空気層によりバスバーおよび第１、第２ケースの温度上昇を緩和することができる。よって、バスバーの溶断時および高温時におけるケースの溶損を有効に防ぐことができる。
【００１０】
前記第１ケースおよび第２ケース内に収容されている部分の前記出力部の表裏両面積のうち、５１％〜８０％を前記空気層と接触させると温度上昇の抑制作用を高めることができる。
【００１１】
前記第１ケースまたは第２ケースの少なくとも一方の前記凹部の底面から前記各出力部を位置決め保持する位置決め部を少なくとも２箇所以上突設していることが好ましい。前記位置決め部は、バスバーに設けた位置決め穴に挿入係止するピン、あるいはバスバーの表面に当接して保持する突起形状や壁形状のものでもよい。
【００１２】
前記バスバーの前記共通入力部と対向する前記第１ケースおよび第２ケースの内面にも凹部を設け、前記共通入力部の温度上昇も抑制していることが好ましい。
【発明の効果】
【００１３】
上述したように、本発明によれば、バスバーの出力部と対向する第１、第２ケースの内面に前記凹部を設けることにより、バスバーの出力部と第１、第２ケースの内面との接地面を少なくできると共に、バスバーの出力部と第１、第２ケースとの間に空気層を形成することができる。よって、前記出力部から発する熱の放熱性を高めることができると共に、前記空気層によりバスバーおよび第１、第２ケースの温度上昇を緩和することができ、バスバーの溶断時および高温時にケースが溶損することを有効に防ぐことができる。
【図面の簡単な説明】
【００１４】
【図１】本発明の実施形態に係るヒュージブルリンクユニットの分解斜視図である。
【図２】図１に示す第１ケースの要部拡大斜視図である。
【図３】図１に示す第２ケースの内面側の斜視図である。
【図４】第１ケースと第２ケースをロック結合した状態のヒュージブルリンクユニットを示し、（Ａ）は正面図、（Ｂ）は側面図である。
【図５】図４に示すヒュージブルリンクユニット内のバスバーの収容状態を示す断面説明図である。
【図６】従来例を示す分解斜視図である。
【図７】従来例の問題点を示す図である。
【発明を実施するための形態】
【００１５】
以下、本発明の実施形態を図面を参照して説明する。
本発明の電気部品は、自動車のエンジンルームに搭載される電気接続箱（図示せず）に収容固定されるヒュージブルリンクユニット１０に本発明を適用している。
【００１６】
ヒュージブルリンクユニット１０は、図１に示すように、ヒュージブルリンク一体型バスバー１１と、該バスバー１１を垂直方向に収容する樹脂製の専用ハウジング３０とからなる。
【００１７】
前記バスバー１１は、図１に示すように、１枚の導電性金属板を打抜加工して形成している。
詳細には、バスバー１１の上側部を横長の共通入力部１２とし、該共通入力部１２の左右一方側をバッテリ系入力部１２Ａとし、他方側をオルタネータ系入力部１２Ｂとし、該バッテリ系入力部１２Ａとオルタネータ系入力部１２Ｂとを、細幅のＳ字状とした１本の第２溶断部１７を介して連続している。
【００１８】
バッテリ系入力部１２Ａの上端からは、バッテリと接続するバッテリ用端子部１３を水平方向に屈曲させて突設していると共に、該バッテリ系入力部１２Ａの下端からは間隔をあけて複数の細幅のＳ字状とした第１溶断部１５Ａを突設し、該第１溶断部１５Ａの先端にバッテリ系回路と接続する出力端子部１６Ａを形成している。一方、前記オルタネータ系入力部１２Ｂの上端からは、オルタネータと接続するオルタネータ用端子部１４を前記バッテリ用端子部１３と同一方向に突設していると共に、下端からは、間隔をあけて複数の細幅のＳ字状とした第１溶断部１５Ｂを突設し、該第１溶断部１５Ｂの先端にオルタネータ系回路と接続する出力端子部１６Ｂを形成している。
【００１９】
前記バッテリ用端子部１３とオルタネータ用端子部１４にはそれぞれボルト穴１８を穿設し、バッテリに接続している電源線端末（図示せず）をボルト締めにより接続する。
前記出力端子部１６Ｂにもボルト穴１９を穿設しており、オルタネータ等の電装品に接続されている電線端末（図示せず）をボルト締めにより接続する。
前記出力端子部１６Ａには、その他の電装品に接続される電線端末（図示せず）を接続する。
【００２０】
前記出力端子部１６Ａ、１６Ｂの上側部には、それぞれ複数の位置決め穴２０を穿設している。前記共通入力部１２の上側部には、横方向に間隔をあけて複数の位置決め穴２１を穿設している。
【００２１】
前記専用ハウジング３０は、図１に示すように、前記バスバー１１の裏面側を覆う第１ケース３１と、表面側を覆う第２ケース３２とからなり、いずれもポリプロピレン製の樹脂成形品からなる。
前記第１ケース３１は、バスバー１１の裏面と対向する裏壁３３と、該裏壁３３の周縁より立設した両側壁３４、上壁３５および下壁３６とを備えている。
【００２２】
前記裏壁３３の内面側には、バスバー１１の前記第１溶断部１５Ａ、１５Ｂと対向する位置に第１凹部３７を、前記第２溶断部１７と対向する位置に第２凹部３８を形成するとともに、第１凹部３７間には仕切壁３９を突設している。また、バスバー１１のバッテリ系入力部１２Ａとオルタネータ系入力部１２Ｂに対向する位置にはそれぞれ第３凹部４０を凹設し、該第３凹部４０の底面から、バスバー１１の前記位置決め穴２１に挿入係止される複数の位置決めピン４１を突設している。
【００２３】
前記裏壁３３の下側部の内面には、バスバー１１の前記出力端子部１６Ａ、１６Ｂの上側部を収容する第４凹部４２を形成し、該第４凹部４２は前記下壁３６を貫通して下面側に開口している。各第４凹部４２の底面には、図２にも示すように、さらに第５凹部４３を形成し、該第５凹部４３の底面からは、出力端子部１６Ａ、１６Ｂの前記位置決め穴２０に挿入係止される位置決め部としての複数の位置決めピン４４を突設している。
前記両側壁３４には、コ字枠形状の複数の第１ロック部４５を第２ケース３２に向かって突設している。
【００２４】
前記第２ケース３２は、図１および図３に示すように、内部に収容するバスバー１１の表面から離隔した状態で対向する表壁４６と、該表壁４６の周縁より内面側に突設した両側壁４７、上壁４８および下壁４９を備えている。
【００２５】
前記表壁４６には、バスバー１１の前記第１溶断部１５Ａ、１５Ｂおよび第２溶断部１７と対向する位置にそれぞれ開口部５０を設け、該開口部５０を通して各溶断部１５Ａ、１５Ｂ、１７の溶断状態を外部から目視できるようにしている。
前記表壁４６の内面には、図３に示すように、内部に収容するバスバー１１の出力端子部１６Ａ、１６Ｂの上側部と対向する位置には、横方向に延在する上下２段の第１保持壁５１を突設していると共に、バスバー１１のバッテリ系入力部１２Ａとオルタネータ系入力部１２Ｂの表面と対向する位置にそれぞれ第２保持壁５２を格子状に突設している。
【００２６】
前記上壁４８の外面には、前記バッテリ用端子部１３とオルタネータ用端子部１４とを外部へと突出させる凹部５３を形成している。
【００２７】
前記両側壁４７の外面には、前記第１ロック部４５が挿入される挿入凹部５４ａとロック爪５４ｂとからなる第２ロック部５４を形成している。
【００２８】
前記第１ケース３１と第２ケース３２とは、第１ケース３１の前記第１ロック部４５を第２ケース３２の前記第２ロック部５４に係止して互いにロック結合され、図４（Ａ）（Ｂ）に示すように、バスバー１１のバッテリ用端子部１３とオルタネータ用端子部１４を第２ケース３２の前記凹部５３と第１ケース３１の前記上壁３５との隙間から外部へ水平に突出させると共に、各出力端子部１６Ａ、１６Ｂの下側部を第１ケース３１の第４凹部４２と第２ケース３２の下壁４９との隙間から垂直下方に突出させる。
【００２９】
前記ロック結合状態において、前記バスバー１１は、共通入力部１２の位置決め穴２１に第１ケース３１の前記位置決めピン４１が挿入され、出力端子部１６Ａ、１６Ｂの前記位置決め穴２０に第１ケース３１の前記位置決めピン４４が挿入されて位置決め保持され、かつ、第１ケース３１と第２ケース３２とで表裏両面から挟持される。
【００３０】
なお、第１ケース３１の裏壁３３の下側部内面には、図１に示すように、コ字枠形状の第１補助ロック部６１を突設しており、第２ケース３２の表壁４６の内面側には、前記第１補助ロック部６１と対向する位置にロック爪からなる第２補助ロック部６２を形成しており、前記第１ロック部４５と第２ロック部５４とをロック係止したときに、前記第１補助ロック部６１と第２補助ロック部６２もロック係止される構成としている。
【００３１】
前記構成のヒュージブルリンクユニット１０は、図５に示すように、バスバー１１の出力端子部１６Ａ、１６Ｂの上部裏面は、第１ケース３１の前記第４凹部４２の底面と位置決めピン４４に接地するが、中央部分は前記第５凹部４３により第１ケース３１と接触せず、出力端子部１６Ａ、１６Ｂと第１ケース３１との間に空気層Ｓ１を介在させることができる。
また、出力端子部１６Ａ、１６Ｂの表面側は、第２ケース３２の上下２段の前記第１保持壁５１の先端面と前記下壁４９の先端面に接地するが、その他の部分は、第２ケース３２と接触せず、上下２段の第１保持壁５１および下壁４９に挟まれた各凹部５５の空気層Ｓ２と接触させることができる。
【００３２】
同様に、バスバー１１の共通入力部１２（バッテリ系入力部１２Ａとオルタネータ系入力部１２Ｂ）の裏面側は、第１ケース３１の裏壁３３の内面と位置決めピン４１とに接地するが、前記第３凹部４０により中央部分は第１ケース３１と接触せず、バッテリ系入力部１２Ａおよびオルタネータ系入力部１２Ｂと各第３凹部４０との間に空気層Ｓ３を介在させることができる。
また、バッテリ系入力部１２Ａとオルタネータ系入力部１２Ｂの表面側は、第２ケース３２の前記第２保持壁５２の先端面に接地するが、その他の部分は、第２ケース３２と接触せず、格子状の第２保持壁５２で囲まれた各凹部５６の空気層Ｓ４と接触させることができる。
【００３３】
従って、前記ヒュージブルリンクユニット１０は、発熱量の多い出力端子部１６Ａ、１６Ｂおよび共通入力部１２と第１ケース３１および第２ケース３２との接触面積が小さいため、放熱性が高まり、バスバー１１の温度上昇を抑制することができる。また、出力端子部１６Ａ、１６Ｂが前記空気層Ｓ１、Ｓ２に接触し、共通入力部１２が前記空気層Ｓ３、Ｓ４と接触することにより、出力端子部１６Ａ、１６Ｂや共通入力部１２の温度上昇がハウジング３０に伝搬することを抑制でき、バスバー１１の高温時あるいは溶断時にハウジング３０が溶損することを有効に防ぐことができる。
【００３４】
さらに、前記ヒュージブルリンクユニット１０は、バスバー１１と第１ケース３１および第２ケース３２との接触面積を小さくしているが、前記位置決めピン４１、４４や第１、第２保持壁５１、５２により、バスバー１１をハウジング３０に安定的に位置決め保持することができる。
【符号の説明】
【００３５】
１０  ヒュージブルリンクユニット（電気接続箱）
１１  バスバー
１２  共通入力部
１５Ａ、１５Ｂ  （第１）溶断部
１６Ａ、１６Ｂ  出力端子部
３１  第１ケース
３２  第２ケース
４０  第３凹部
４１、４４  位置決めピン
４２  第４凹部
４３  第５凹部
５１  第１保持壁
５２  第２保持壁
【図１】
2010178607.tif 000003
【図２】
2010178607.tif 000004
【図３】
2010178607.tif 000005
【図４】
2010178607.tif 000006
【図５】
2010178607.tif 000007
【図６】
2010178607.tif 000008
【図７】
2010178607.tif 000009